【手続補正書】
【提出日】平成18年1月23日(2006.1.23)
【手続補正１】
【補正対象書類名】明細書
【補正対象項目名】特許請求の範囲
【補正方法】変更
【補正の内容】
【特許請求の範囲】
【請求項１】
ジャンル別に区分されたコンテンツ情報の表示処理を実行する表示処理装置であり、
コンテンツ情報を記録したコンテンツカードをコンテンツ数に応じて設定し、該コンテンツ数に対応する複数のコンテンツカードからなるカード群をコンテンツ情報を非表示状態としてコンテンツ存在のみを示すカード群として表示するとともに、
ユーザの操作可能な選択指示子によって選択されたコンテンツを前記カード群の隣接部にコンテンツ情報を表示状態として表示する処理を実行するコンテンツ表示データ生成手段と、
表示するコンテンツ情報に対応したジャンルを表示するとともに、選択された前記コンテンツ情報のジャンルを表示状態として表示する処理を実行する表示データ生成手段とを有し、
前記コンテンツ情報はユーザの選択操作に従って連続的に表示されることを特徴とする表示処理装置。
【請求項２】
前記コンテンツ表示データ生成手段は、
前記カード群における前記選択指示子の相対位置に応じて、各コンテンツカードの表示態様を決定する処理を実行する構成であることを特徴とする請求項１に記載の表示処理装置。
【請求項３】
前記コンテンツ表示データ生成手段は、
前記カード群における前記選択指示子の相対位置に応じて、各コンテンツカードの表示態様を決定し、
前記選択指示子に近い位置にあるコンテンツカードをコンテンツ情報が表示状態となる傾きに設定し、前記選択指示子に遠い位置にあるコンテンツカードをコンテンツ情報が非表示状態となる傾きに設定した表示処理を実行する構成であることを特徴とする請求項１に記載の表示処理装置。
【請求項４】
前記コンテンツ表示データ生成手段は、
前記コンテンツカードをパラメトリック曲線に沿って移動させ、前記選択指示子によって選択されたコンテンツを前記カード群から離間したパラメトリック曲線上の位置において、コンテンツ情報を表示状態として表示する処理を実行する構成であることを特徴とする請求項１に記載の表示処理装置。
【請求項５】
ジャンル別に区分されたコンテンツ情報の表示処理を実行する表示処理方法であり、
コンテンツ情報を記録したコンテンツカードをコンテンツ数に応じて設定し、該コンテンツ数に対応する複数のコンテンツカードからなるカード群をコンテンツ情報を非表示状態としてコンテンツ存在のみを示すカード群として表示するステップと、
ユーザの操作可能な選択指示子によって選択されたコンテンツを前記カード群の隣接部にコンテンツ情報を表示状態として表示するステップと、
表示されるコンテンツ情報に対応したジャンルを表示するとともに、ユーザの操作により選択された前記コンテンツ情報のジャンルを表示状態として表示するステップとを有し、
前記コンテンツ情報はユーザの選択操作に従って連続的に表示されることを特徴とする表示処理方法。
【請求項６】
前記表示処理方法は、さらに、
前記カード群における前記選択指示子の相対位置に応じて、各コンテンツカードの表示態様を決定する処理を実行するステップを有することを特徴とする請求項５に記載の表示処理方法。
【請求項７】
前記表示処理方法は、
前記カード群における前記選択指示子の相対位置に応じて、各コンテンツカードの表示態様を決定するステップを有し、前記選択指示子に近い位置にあるコンテンツカードをコンテンツ情報が表示状態となる傾きに設定し、前記選択指示子に遠い位置にあるコンテンツカードをコンテンツ情報が非表示状態となる傾きに設定した表示処理を実行することを特徴とする請求項５に記載の表示処理方法。
【請求項８】
前記表示処理方法は、
前記コンテンツカードをパラメトリック曲線に沿って移動させ、前記選択指示子によって選択されたコンテンツを前記カード群から離間したパラメトリック曲線上の位置において、コンテンツ情報を表示状態として表示する処理を実行することを特徴とする請求項５に記載の表示処理方法。
【請求項９】
ジャンル別に区分されたコンテンツ情報の表示処理を実行するコンピュータ・プログラムであり、
コンテンツ情報を記録したコンテンツカードをコンテンツ数に応じて設定し、該コンテンツ数に対応する複数のコンテンツカードからなるカード群をコンテンツ情報を非表示状態としてコンテンツ存在のみを示すカード群として表示するステップと、
ユーザの操作可能な選択指示子によって選択されたコンテンツを前記カード群の隣接部にコンテンツ情報を表示状態として表示するステップと、
表示するコンテンツ情報に対応したジャンルを表示するとともに、ユーザの操作により選択された前記コンテンツ情報のジャンルを表示状態として表示するステップとを有し、
前記コンテンツ情報はユーザの選択操作に従って連続的に表示されることを特徴とするコンピュータ・プログラム。
【手続補正２】
【補正対象書類名】明細書
【補正対象項目名】００２０
【補正方法】削除
【補正の内容】
【手続補正３】
【補正対象書類名】明細書
【補正対象項目名】００２１
【補正方法】削除
【補正の内容】
【手続補正４】
【補正対象書類名】明細書
【補正対象項目名】００２２
【補正方法】削除
【補正の内容】
【手続補正５】
【補正対象書類名】明細書
【補正対象項目名】００２３
【補正方法】変更
【補正の内容】
【００２３】
【課題を解決するための手段】
本発明の第１の側面は、
ジャンル別に区分されたコンテンツ情報の表示処理を実行する表示処理装置であり、
コンテンツ情報を記録したコンテンツカードをコンテンツ数に応じて設定し、該コンテンツ数に対応する複数のコンテンツカードからなるカード群をコンテンツ情報を非表示状態としてコンテンツ存在のみを示すカード群として表示するとともに、
ユーザの操作可能な選択指示子によって選択されたコンテンツを前記カード群の隣接部にコンテンツ情報を表示状態として表示する処理を実行するコンテンツ表示データ生成手段と、
表示するコンテンツ情報に対応したジャンルを表示するとともに、選択された前記コンテンツ情報のジャンルを表示状態として表示する処理を実行する表示データ生成手段とを有し、
前記コンテンツ情報はユーザの選択操作に従って連続的に表示されることを特徴とする表示処理装置にある。
【手続補正６】
【補正対象書類名】明細書
【補正対象項目名】００２４
【補正方法】変更
【補正の内容】
【００２４】
さらに、本発明の表示処理装置の一実施態様において、前記コンテンツ表示データ生成手段は、前記カード群における前記選択指示子の相対位置に応じて、各コンテンツカードの表示態様を決定する処理を実行する構成であることを特徴とする。
【手続補正７】
【補正対象書類名】明細書
【補正対象項目名】００２５
【補正方法】変更
【補正の内容】
【００２５】
さらに、本発明の表示処理装置の一実施態様において、前記コンテンツ表示データ生成手段は、前記カード群における前記選択指示子の相対位置に応じて、各コンテンツカードの表示態様を決定し、前記選択指示子に近い位置にあるコンテンツカードをコンテンツ情報が表示状態となる傾きに設定し、前記選択指示子に遠い位置にあるコンテンツカードをコンテンツ情報が非表示状態となる傾きに設定した表示処理を実行する構成であることを特徴とする。
【手続補正８】
【補正対象書類名】明細書
【補正対象項目名】００２６
【補正方法】変更
【補正の内容】
【００２６】
さらに、本発明の表示処理装置の一実施態様において、前記コンテンツ表示データ生成手段は、前記コンテンツカードをパラメトリック曲線に沿って移動させ、前記選択指示子によって選択されたコンテンツを前記カード群から離間したパラメトリック曲線上の位置において、コンテンツ情報を表示状態として表示する処理を実行する構成であることを特徴とする。
【手続補正９】
【補正対象書類名】明細書
【補正対象項目名】００２７
【補正方法】削除
【補正の内容】
【手続補正１０】
【補正対象書類名】明細書
【補正対象項目名】００２８
【補正方法】削除
【補正の内容】
【手続補正１１】
【補正対象書類名】明細書
【補正対象項目名】００２９
【補正方法】削除
【補正の内容】
【手続補正１２】
【補正対象書類名】明細書
【補正対象項目名】００３０
【補正方法】削除
【補正の内容】
【手続補正１３】
【補正対象書類名】明細書
【補正対象項目名】００３１
【補正方法】削除
【補正の内容】
【手続補正１４】
【補正対象書類名】明細書
【補正対象項目名】００３２
【補正方法】削除
【補正の内容】
【手続補正１５】
【補正対象書類名】明細書
【補正対象項目名】００３３
【補正方法】削除
【補正の内容】
【手続補正１６】
【補正対象書類名】明細書
【補正対象項目名】００３４
【補正方法】変更
【補正の内容】
【００３４】
さらに、本発明の第２の側面は、
ジャンル別に区分されたコンテンツ情報の表示処理を実行する表示処理方法であり、
コンテンツ情報を記録したコンテンツカードをコンテンツ数に応じて設定し、該コンテンツ数に対応する複数のコンテンツカードからなるカード群をコンテンツ情報を非表示状態としてコンテンツ存在のみを示すカード群として表示するステップと、
ユーザの操作可能な選択指示子によって選択されたコンテンツを前記カード群の隣接部にコンテンツ情報を表示状態として表示するステップと、
表示されるコンテンツ情報に対応したジャンルを表示するとともに、ユーザの操作により選択された前記コンテンツ情報のジャンルを表示状態として表示するステップとを有し、
前記コンテンツ情報はユーザの選択操作に従って連続的に表示されることを特徴とする表示処理方法にある。
【手続補正１７】
【補正対象書類名】明細書
【補正対象項目名】００３８
【補正方法】削除
【補正の内容】
【手続補正１８】
【補正対象書類名】明細書
【補正対象項目名】００３９
【補正方法】削除
【補正の内容】
【手続補正１９】
【補正対象書類名】明細書
【補正対象項目名】００４０
【補正方法】変更
【補正の内容】
【００４０】
さらに、本発明の第３の側面は、
ジャンル別に区分されたコンテンツ情報の表示処理を実行するコンピュータ・プログラムであり、
コンテンツ情報を記録したコンテンツカードをコンテンツ数に応じて設定し、該コンテンツ数に対応する複数のコンテンツカードからなるカード群をコンテンツ情報を非表示状態としてコンテンツ存在のみを示すカード群として表示するステップと、
ユーザの操作可能な選択指示子によって選択されたコンテンツを前記カード群の隣接部にコンテンツ情報を表示状態として表示するステップと、
表示するコンテンツ情報に対応したジャンルを表示するとともに、ユーザの操作により選択された前記コンテンツ情報のジャンルを表示状態として表示するステップとを有し、
前記コンテンツ情報はユーザの選択操作に従って連続的に表示されることを特徴とするコンピュータ・プログラムにある。